(57)【要約】本発明は、携帯電話機やパーソナルコンピュータ等の情報機器に対するセキュリティ技術に関し、特に、鍵情報を用いて情報機器の使用制限あるいは使用制限の解除を行う技術において、安価な構成で当該技術を実現することが可能な技術を提供することを目的とする。  そして、上記目的を達成するために、鍵システム（１００）は、鍵装置（１）と、当該鍵装置（１）によってロックあるいはロックの解除が可能である携帯電話機（１１）とを備えている。鍵装置（１）のＬＥＤ（４）と、携帯電話機（１１）のＬＥＤ（１４）とはデータ通信可能であって、鍵情報がＬＥＤ（４）からＬＥＤ（１４）に送信される。携帯電話機（１１）はＬＥＤ（１４）で受信した鍵情報に基づいてロックあるいはロックの解除を行う。
2005069590.tif 000002
【特許請求の範囲】
【請求項１】
データ受信を行う第１のＬＥＤ（１４，２４）、及び第１の制御部（１２，２２）を有する情報機器（１１，２１）と、
データ送信を行う第２のＬＥＤ（４）、前記情報機器に対する鍵情報を記憶する記憶部（３）、及び前記第２のＬＥＤの動作制御を行う第２の制御部（２）を有する鍵装置（１）と
を備え、
前記鍵装置における前記第２の制御部は、前記記憶部内の前記鍵情報を前記第２のＬＥＤに送信させ、
前記情報機器における前記第１のＬＥＤは、前記第２のＬＥＤによって送信される前記鍵情報を受信し、
前記情報機器における前記第１の制御部は、前記第１のＬＥＤで受信される前記鍵情報に基づいて前記情報機器のロック及びロックの解除の少なくとも一方を行う、鍵システム。
【請求項２】
前記情報機器は、携帯電話機、パーソナルコンピュータ及びＰＤＡのいずれかである、請求の範囲１に記載の鍵システム。
【請求項３】
前記鍵装置（１）は携帯情報機器（１１）に内蔵されている、請求の範囲１に記載の鍵システム。
【請求項４】
鍵装置（１）と、当該鍵装置によってロック及びロックの解除のいずれか一方が行われる情報機器（１１，２１）とを備え、両者の間でＬＥＤによるデータ通信が行われる鍵システムに用いられる鍵装置であって、
データ送信を行うＬＥＤ（４）と、
前記情報機器に対する鍵情報を記憶する記憶部（３）と、
前記ＬＥＤの動作制御を行う制御部（２）と
を備え、
前記制御部は、前記記憶部内の前記鍵情報を前記ＬＥＤに送信させる、鍵装置。
【請求項５】
前記鍵装置（１）は携帯情報機器（１１）に内蔵されている、請求の範囲４に記載の鍵装置。
【請求項６】
鍵装置（１）と、当該鍵装置によってロック及びロックの解除のいずれか一方が行われる情報機器（１１，２１）とを備え、両者の間でＬＥＤによるデータ通信が行われる鍵システムに用いられる情報機器であって、
データ受信を行うＬＥＤ（１４，２４）と、
制御部（１２，２２）と
を備え、
前記ＬＥＤは、前記鍵装置から送信される、前記情報機器に対する鍵情報を受信し、
前記制御部は、前記ＬＥＤで受信される前記鍵情報に基づいて前記情報機器のロック及びロックの解除の少なくとも一方を行う、情報機器。
【請求項７】
前記情報機器は、携帯電話機、パーソナルコンピュータおよびＰＤＡのいずれかである、請求の範囲６に記載の情報機器。
【発明の詳細な説明】
【技術分野】  本発明は、携帯電話機やパーソナルコンピュータ等の情報機器に対するセキュリティ技術に関し、特に、鍵情報を用いて情報機器の使用制限あるいは使用制限の解除を行う技術に関する。
【背景技術】  特許文献１には、情報機器に対するセキュリティ技術が開示されている。特許文献１に記載の技術では、外部記憶媒体に情報機器固有のＩＤ（識別情報）を記憶させている。そして、外部記憶媒体が情報機器に装着された際に、当該外部記憶媒体内のＩＤを読み取って、情報機器に記憶されているＩＤと一致するか否かで当該情報機器の起動を制限している。
以上のような、正当使用者以外による装置の使用を制限することが可能な情報機器においては、安価な構成でセキュリティを向上することが望まれている。
なお、ＬＥＤを用いてデータ通信を行う技術が特許文献２〜４に開示されている。
【特許文献１】          特開２００１−３３１２３３号公報
【特許文献２】          特開２００２−２６８１２号公報
【特許文献３】          米国特許出願公開第２００３／０１８９２１１Ａ１号明細書
【特許文献４】          国際公開第０３／０８４１０２Ａ１号パンフレット
【発明の開示】
本発明は、上記点に鑑みて成されたものであり、安価な構成で情報機器の使用制限、あるいは情報機器の使用制限の解除を行うことが可能な技術を提供することを目的とする。
本発明に係る鍵システムは、データ受信を行う第１のＬＥＤ、及び第１の制御部を有する情報機器と、データ送信を行う第２のＬＥＤ、前記情報機器に対する鍵情報を記憶する記憶部、及び前記第２のＬＥＤの動作制御を行う第２の制御部を有する鍵装置とを備え、前記鍵装置における前記第２の制御部は、前記記憶部内の前記鍵情報を前記第２のＬＥＤに送信させ、前記情報機器における前記第１のＬＥＤは、前記第２のＬＥＤによって送信される前記鍵情報を受信し、前記情報機器における前記第１の制御部は、前記第１のＬＥＤで受信される前記鍵情報に基づいて前記情報機器のロック及びロックの解除の少なくとも一方を行う。
また、本発明に係る鍵装置は、鍵装置と、当該鍵装置によってロック及びロックの解除のいずれか一方が行われる情報機器とを備え、両者の間でＬＥＤによるデータ通信が行われる鍵システムに用いられる鍵装置であって、データ送信を行うＬＥＤと、前記情報機器に対する鍵情報を記憶する記憶部と、前記ＬＥＤの動作制御を行う制御部とを備え、前記制御部は、前記記憶部内の前記鍵情報を前記ＬＥＤに送信させる。
また、本発明に係る情報機器は、鍵装置と、当該鍵装置によってロック及びロックの解除のいずれか一方が行われる情報機器とを備え、両者の間でＬＥＤによるデータ通信が行われる鍵システムに用いられる情報機器であって、データ受信を行うＬＥＤと、制御部とを備え、前記ＬＥＤは、前記鍵装置から送信される、前記情報機器に対する鍵情報を受信し、前記制御部は、前記ＬＥＤで受信される前記鍵情報に基づいて前記情報機器のロック及びロックの解除の少なくとも一方を行う。
本発明に係る鍵システム、鍵装置、あるいは情報機器によれば、ＬＥＤのデータ通信を利用して情報機器のロックあるいはロックの解除を行うことができるため、安価な構成で、情報機器の使用制限あるいは使用制限の解除を行うことができる鍵システムを構築することができる。
この発明の目的、特徴、局面、および利点は、以下の詳細な説明と添付図面とによって、より明白となる。
【図面の簡単な説明】  図１は、本発明の実施の形態１に係る鍵システムの構成を示すブロック図である。
図２は、本発明の実施の形態１に係る鍵システムの構成の一部を示す回路図である。
図３は、本発明の実施の形態１に係る鍵装置の動作を示すフローチャートである。
図４は、本発明の実施の形態１に係る鍵装置の動作を示す図である。
図５は、本発明の実施の形態１に係る鍵装置の動作を示すフローチャートである。
図６は、本発明の実施の形態１に係る情報機器の動作を示すフローチャートである。
図７は、本発明の実施の形態２に係る鍵システムの構成を示すブロック図である。
図８は、本発明の実施の形態２に係る鍵システムの変形例の構成を示すブロック図である。
【発明を実施するための最良の形態】  実施の形態１．
図１は本発明の実施の形態１に係る鍵システム１００の構成を示すブロック図である。図１に示されるように、本実施の形態１に係る鍵システム１００は、鍵装置１と、情報機器の一種である携帯電話機１１とを備えており、鍵装置１と携帯電話機１１とはデータ通信、例えば非同期式のシリアルデータ通信を行う。そして、本鍵システム１００では、鍵装置１によって携帯電話機１１のロック、あるいはロックの解除を行うことができる。ここで「ロック」とは、情報機器に対する少なくとも一部の使用の制限、言い換えれば、情報機器における少なくとも一部の機能制限を意味するものである。
鍵装置１は、ＣＰＵ２と、ＲＯＭ及びＲＡＭを有する記憶部３と、可視光を発するＬＥＤ４とを備えており、これらの構成要素は、例えば一般的な携帯電話機よりも小さな筐体内に収納されている。ＣＰＵ２は、記憶部３及びＬＥＤ４の動作制御を行う制御部として機能し、記憶部３に対してデータの読み書きを行う。記憶部３はＣＰＵ１の実行プログラム等を記憶しており、携帯電話機１１から送信される鍵情報を記憶する。ＬＥＤ４は携帯電話機１１からのシリアルデータの受信、及び携帯電話機１１へのシリアルデータの送信を行うことが可能である。なお、鍵装置１が記憶する鍵情報とは、携帯電話機１１をロックする際、あるいは携帯電話機１１のロックを解除する際に使用されるものであって、詳細については後述する。
携帯電話機１１は、制御部１２と、記憶部１３と、ＬＥＤ１４と、無線部１５と、アンテナ１６と、表示部１７と、通話部１８と、操作部１９とを備えている。制御部１２は、他のブロックとのインターフェイス回路やＣＰＵ等を備えており、他のブロックの動作制御や、携帯電話機１１全体の動作管理などを行う。記憶部１３はＲＯＭ及びＲＡＭを備えており、制御部１２内のＣＰＵの実行プログラムや、鍵情報として使用される、携帯電話機１１固有のＩＤ番号、例えば製品番号などを記憶している。
ＬＥＤ１４は、鍵装置１からのシリアルデータの受信、及び鍵装置１へのシリアルデータの送信を行うことが可能であり、制御部１２内のＣＰＵと直接接続されている。またＬＥＤ１４は、制御部１２内のＣＰＵによって制御されて、相手端末からの信号の着信時に点滅する。通話部１８はマイクやスピーカ等を備えており、外部に音声信号を出力したり、外部からの音声信号を受け付ける。操作部１９は複数のキースイッチで構成されており、数値や文字などを入力するためのキースイッチを備えている。
表示部１７は、例えば液晶表示装置（ＬＣＤ）であって、操作部１９から入力された文字情報の表示や、相手端末から送られてきた画像情報の表示などの各種情報の表示を行う。無線部１５は、基地局との間で無線通信を行う送受信回路であって、通話部１８のマイクより入力された音声信号は、制御部１２で符号化された後、無線部１５及びアンテナ１６を介して相手端末へと送信される。また、相手端末が送信した音声データはアンテナ１６及び無線部１５を介して受信され、制御部１２で復号化された後、通話部１８のスピーカより出力される。
ユーザーによって操作部１９が操作されると、その操作情報が制御部１２に通知され、制御部１２は受け取った操作情報に基づいて表示部１７や通話部１８などの他のブロックの動作制御を行う。これにより携帯電話機１１では、相手端末に電話をかけたり、相手端末からの電話を受けるなどの、操作部１９での操作内容に応じた機能が実行される。
本実施の形態１に係る携帯電話機１１では、鍵装置１を使用する以外にも、一般的な携帯電話機と同様に、操作部１９を操作することによってロックすることができる。また、携帯電話機１１のロックの解除も同様に、操作部１９を操作することによって実行することができる。
例えば、操作部１９における所定のキースイッチが押下されて、操作部１９に対して所定の操作が行われると、その操作情報が制御部１２に通知され、制御部１２は、その後、操作部１９が操作された場合であっても、電話を受けるための操作や電源をＯＮ／０ＦＦするための操作、あるいはロックを解除するための操作などの一定の操作以外については受け付けを拒否し、これらの受け付け拒否対象である操作に対応する機能の実行を禁止する。これにより、携帯電話機１１がロックされる。
また携帯電話機１１では、ロック解除用の暗証番号が入力されるなど、ロックを解除するための操作が操作部１９に対して行われると、その操作情報が制御部１２に通知され、制御部１２は受け付けを拒否していた操作を受け付けるようにする。これにより、携帯電話機１１のロックが解除される。なお、制御部１２は携帯電話機１１が現在ロックされているか否かの情報を記憶部１３に書き込み、ロック状況が変更するたびにその情報を更新する。
次に、ＬＥＤ４，１４におけるデータの送受信方法について説明する。なお、ＬＥＤ１４におけるデータの送受信方法はＬＥＤ４と同様であるため、その詳細な説明は省略する。
図２は鍵装置１におけるＣＰＵ２とＬＥＤ４との接続関係を示す図である。ＣＰＵ２は、一般的なＣＰＵと同様に複数の入出力ポート２ａを備えており、図２に示されるように、その一つとＬＥＤ４のアノードが接続されている。そして、ＬＥＤ４のカソードは抵抗５を介して接地されている。ＣＰＵ２においては、ＣＰＵ２内部における所定のレジスタ内のデータを変更することによって、入出力ポート２ａを入力ポートとして使用するか、出力ポートとして使用するかを任意に切り替えることができる。
入出力ポート２ａを出力ポートに設定し、入出力ポート２ａにＨｉｇｈレベルの信号を出力すると、ＬＥＤ４には電流が流れ、当該ＬＥＤ４は発光する。そして、入出力ポート２ａにＬｏｗレベルの信号を出力すると、ＬＥＤ４には電流が流れなくなり、当該ＬＥＤ４の発光が停止する。
ＬＥＤ４は、それ自身が発光することによって、携帯電話機１１へのデータの送信を行うことができる。そして、本実施の形態１では、ＬＥＤ４の発光時間の相違によって、データの“１”，“０”を表現している。例えば、ＬＥＤ１がデータ“１”を出力する際には１ｍｓの間発光し、データ“０”を出力する際には０．５ｍｓの間発光する。
このように、ＣＰＵ２の入出力ポート２ａを入力ポートに設定してＬＥＤ４を発光させることにより、ＬＥＤ４からデータが送信される。このとき、所定の転送速度でデータがシリアル送信される。そして、鍵装置１から送信されたデータは携帯電話機１１のＬＥＤ１４によって受信される。
なお、携帯電話機１１においては、鍵装置１と同様に、制御部１２内のＣＰＵの入出力ポートにＬＥＤ１４のアノードが接続されており、ＬＥＤ１４のカソードは抵抗を介して接地されている。そして、当該入出力ポートを入力ポートに設定してＬＥＤ１４を発光させることにより、ＬＥＤ１４から所定の転送レートのシリアルデータが送信される。以後、ＬＥＤ４，１４がデータ“１”を出力する際に発光する期間を「発光期間ＬＴ１」と呼び、データ“０”を出力する際に発光する期間を「発光期間ＬＴ０」と呼ぶ。
次にＬＥＤ４のデータ受信方法について図３，４を参照して説明する。図３はＬＥＤ４におけるデータ受信動作を示すフローチャートであって、図４は当該データ受信動作を示す図である。図３に示されるように、まずステップｓ１において、ＣＰＵ２は入出力ポート２ａを出力ポートに設定する。そしてステップｓ２において、ＣＰＵ２は入出力ポート２ａにＬｏｗレベルの信号を出力する。これにより、ＬＥＤ４が有するＰＮ接合における接合容量に蓄積されている電荷が放電される。
次にステップｓ３において、ＣＰＵ２は入出力ポート２ａを入力ポートに設定し、ステップｓ４において、ＣＰＵ２は入出力ポート２ａの信号レベルを確認する。ここで、ＬＥＤ４が携帯電話機１１からデータを受信していれば、つまりＬＥＤ１４が発する光を受光していれば、ＬＥＤ４の接合容量には電荷が蓄積され、入出力ポート２ａの信号レベルがＨｉｇｈレベルとなるため、入出力ポート２ａの信号レベルを確認することによって、ＣＰＵ２は携帯電話機１１からのデータ受信を確認できる。そして、ステップｓ５において、上記ステップｓ１〜ｓ４を例えば１０回繰り返して実行し、入出力ポート２ａの信号レベルを１０回確認する。
図４における矢印５０は、ステップｓ４において、ＣＰＵ２が入出力ポート２ａの信号レベルを確認するタイミングを示している。図４に示されるように、ステップｓ４は等間隔で実行され、鍵装置１と携帯電話機１１との間におけるシリアルデータ通信のデータ転送周期Ｔ１の１周期内において１０回実行される。つまり、データ転送周期Ｔ１の１周期内においては、ＣＰＵ２によって入出力ポート２ａの信号レベルが１０回確認される。
次にステップｓ６において、入出力ポート２ａの信号レベルを１０回確認した結果、Ｈｉｇｈレベルであった回数が例えば５回以下のときには、ステップｓ７において、ＣＰＵ２はＬＥＤ４が受信したデータが“０”であると判断し、６回以上のときには、ステップｓ８において、ＣＰＵ２はＬＥＤ４が受信したデータが“１”であると判断する。なお図４の例では、受信データが“１”のときにはＣＰＵ２によって７回Ｈｉｇｈレベルが検出され、受信データが“０”のときには４回Ｈｉｇｈレベルが検出される様子が示されている。
このように、入出力ポート２ａの信号レベルを複数回確認し、Ｈｉｇｈレベルである回数を計測することによって、ＬＥＤ１４の発光時間を確認することができる。その結果、ＬＥＤの発光時間の相違によって表現されたデータ“１”，“０”をＣＰＵ２は判別することができる。そして、上記ステップを繰り返して実行することによって、ＬＥＤ４は携帯電話機１１から送信されるデータを連続的に受信することができる。
携帯電話機１１におけるＬＥＤ１４のデータ受信動作もＬＥＤ４と同様であって、制御部１２内のＣＰＵの入出力ポートの信号レベルを複数回確認し、Ｈｉｇｈレベルである回数を計測することによって、ＬＥＤ４の発光時間を確認することができ、その結果、ＬＥＤの発光時間の相違によって表現されたデータ“１”，“０”を制御部１２内のＣＰＵは判別することができる。
なおこのように、ＣＰＵがＬＥＤに接続された入出力ポートの信号レベルを確認することによってデータ受信を行う動作を「ＬＥＤデータ受信動作」と呼ぶ。
次に、本実施の形態１に係る鍵システム１００において、鍵装置１を使用して携帯電話機１１のロック、あるいはロックの解除を行う際の動作について説明する。図５，６は、この場合の鍵装置１及び携帯電話機１１の動作をそれぞれ示すフローチャートであって、まず図５を参照して、鍵装置１の動作について説明する。
図５に示されるように、ステップｓ１１において、鍵装置１のＣＰＵ２は、記憶部３内に鍵情報が記憶されているか否かを確認する。なお、鍵装置１の初期状態では、記憶部３内には鍵情報は記憶されていない。ＣＰＵ２は記憶部３内に鍵情報が記憶されていないと判断すると、ステップｓ１６において、ＬＥＤ４の動作制御を行い、ＬＥＤ４に鍵情報要求信号を送信させる。これにより、鍵装置１は、携帯電話機１１と通信可能かどうかを確認するとともに、携帯電話機１１に鍵情報を要求する。
ステップｓ１７において、携帯電話機１１が鍵装置１と通信可能な範囲内に位置しており、鍵情報要求信号を受け取った携帯電話機１１からＬＥＤ４が鍵情報を受信すると、ＣＰＵ２は携帯電話機１１と通信可能である判断するとともに、受け取った鍵情報を記憶部３に記憶する。これにより、鍵装置１には携帯電話機１１に対する鍵情報が記憶され、当該鍵情報が鍵装置１と携帯電話機１１とで共有される。そしてステップｓ１５において、ＣＰＵ２は一定時間動作を休止し、一定時間経過後、ステップｓ１１が再度実行される。
一方、ステップｓ１７において、携帯電話機１１が鍵装置１と通信可能な範囲外に位置しており、所定時間内にＬＥＤ４が携帯電話機１１から鍵情報を受信しなかった場合には、ＣＰＵ２は携帯電話機１１と通信不可能であると判断し、ステップｓ１５において、一定時間動作を休止する。そして一定時間経過後、ステップｓ１１が再度実行される。
ステップｓ１１において、ＣＰＵ２は記憶部３内に鍵情報を確認すると、ステップｓ１２において、ＬＥＤ４の動作制御を行い、ＬＥＤ４に通信状態確認信号を送信させる。これにより、鍵装置１は携帯電話機１１と通信可能かどうかを確認する。そして、ステップｓ１３において、携帯電話機１１が鍵装置１と通信可能な範囲内に位置しており、通信状態確認信号を受け取った携帯電話機１１からＬＥＤ４が鍵情報送信要求信号を受信すると、ＣＰＵ２は携帯電話機１１と通信可能であると判断するとともに、携帯電話機１１が鍵情報を要求しているものと判断する。
そして、ステップｓ１４において、ＣＰＵ２は記憶部３から鍵情報を読み出してＬＥＤ４に当該鍵情報を送信させ、ステップｓ１５において一定時間動作を休止する。一定時間経過後、ステップｓ１１が再度実行され、以下同様の動作が行われる。
このように、鍵装置１は一定時間間隔で携帯電話機１１と通信可能かどうかを確認し、通信可能であれば、携帯電話機１１の要求に応じて自身が記憶する鍵情報を携帯電話機１１に送信する。そして、後述するように携帯電話機１１では鍵情報の認証が実行され、認証が成功すればロックの解除、あるいはロックが行われる。
次に携帯電話機１１の動作について図６を参照して説明する。図６に示されるように、ステップｓ２１において、制御部１２内のＣＰＵはＬＥＤデータ受信動作を行う。そして、携帯電話機１１のＬＥＤ１４が通信状態確認信号及び鍵情報要求信号のどちらも受信しない場合には、ステップｓ２９において、制御部１２内のＣＰＵは一定時間ＬＥＤデータ受信動作を休止し、一定時間経過後、再度ステップｓ２１が実行される。
ステップ２１において、ＬＥＤ１４が鍵装置１から鍵情報要求信号を受信すると、制御部１２は、鍵装置１が通信可能な範囲内に位置すると判断するとともに、鍵装置１が鍵情報を要求しているものと判断する。そして、ステップｓ３１において、制御部１２は記憶部１３に記憶されている、鍵情報としてのＩＤ番号を読み出して、ＬＥＤ１４の動作制御を行い、当該１Ｄ番号をＬＥＤ１４送信させる。そして、ステップｓ２９において、制御部１２内のＣＰＵは、一定時間ＬＥＤデータ受信動作を休止し、一定時間経過後、再度ステップｓ２１が実行される。
ステップｓ２１において、ＬＥＤ１４が通信状態確認信号を鍵装置１から受信すると、ステップｓ２２において、制御部１２は鍵情報送信要求信号を出力し、鍵装置１に鍵情報を送信するように要求する。その後、ステップｓ２３において、ＬＥＤ１４が鍵装置１から鍵情報を受信すると、ステップｓ２４において、制御部１２はその鍵情報の認証を行う。具体的には、制御部１２は記憶部１３内の鍵情報と、鍵装置１から受信した鍵情報とが一致するか否かを判定し、一致する場合には認証に成功したものとし、一致しない場合には認証に失敗したものとする。そしてステップｓ２５において、制御部１２は受信した鍵情報の認証に失敗すると、表示部１７の動作制御を行って、認証に失敗した旨をユーザーに知らせるエラー表示を表示部１７に行わせる。
一方、ステップｓ２５において認証に成功すると、制御部１２はステップｓ２６において携帯電話機１１が現在ロックしているか否かを確認する。上述のように、記憶部１３には携帯電話機１１がロックしているか否かの情報が記憶されているため、制御部１２はこの情報を参照することによって、現在の携帯電話機１１のロック状況を確認することができる。そして、操作部１９における所定の操作によって、あるいは鍵装置１によって携帯電話機１１がロックしている場合には、ステップｓ２７において、制御部１２は、受け付け拒否されている操作部１９での所定の操作を受け付け可能にし、ロックの解除を行う。
一方、ステップｓ２６において携帯電話機１１のロックが解除されている場合には、ステップｓ２７において、制御部１２は、操作部１９における電話を受けるための操作などの一定操作以外を受け付けないようにし、携帯電話機１１のロックを行う。
以上のようにして、制御部１２が、鍵装置１から受信した鍵情報に基づいて携帯電話機１１のロックあるいはロックの解除を行うと、ステップｓ２９において、制御部１２内のＣＰＵはＬＥＤデータ受信動作を一定時間休止する。そして、一定時間経過後、ステップｓ２１が再度実行され、以後同様の動作が行われる。
このように、携帯電話機１１はＬＥＤ１４によって鍵装置１から鍵情報を受信し、その受信した鍵情報の認証を行って、認証に成功すればロックあるいはロックの解除を実行し、認証に失敗すれば現状の状態を維持する。なお、本携帯電話機１１では、着信時のＬＥＤ１４の発光は、鍵装置１とのデータ通信に優先して行われる。つまり、携帯電話機１１のＬＥＤ１４が鍵装置１のＬＥＤ４とデータ通信中に、相手端末からの信号の着信があれば、当該データ通信を中止し、着信をユーザーに知らせるためのＬＥＤ１４の点滅を実行する。
以上のように、本鍵システム１００においては、ユーザーが、携帯電話機１１と通信可能な範囲内にまで鍵装置１を近づけることによって、ＬＥＤによるデータ通信が開始し、このＬＥＤによるデータ通信を利用して携帯電話機１１のロックや、ロックの解除が行われる。
ここで、ＬＥＤによるデータの送受信は、本実施の形態１のようにＣＰＵがＬＥＤの動作制御を直接行うことによって実現可能であり、更に一般的な携帯電話機には本携帯電話機１１と同様に着信時に発光するＬＥＤが装備されているため、ＬＥＤによるデータ通信を実現するために携帯電話機１１側には特別な装置を必要としない。また、一般的にＬＥＤはメモリカード等の外部記憶媒体よりも安価である。従って、本鍵システム１００のようにＬＥＤによるデータ通信を利用して携帯電話機１１のロックあるいはロックの解除を行うことによって、特許文献１の技術よりも安価な構成でセキュリティの高い鍵システムを構築することができる。
なお本実施の形態１では、鍵情報として使用されるＩＤ番号として携帯電話機１１の製品番号を用いたが、携帯電話機１１が第３世代端末（３Ｇ端末）であれば、それが通常有するＵＩＭ（Ｕｓｅｒ  Ｉｄｅｎｔｉｔｙ  Ｍｏｄｕｌｅ）カード内に格納されているＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）番号をＩＤ番号として用いても良い。また、更にセキュリティを向上するために、情報機器に対する鍵情報としてのＩＤ番号を周知の方法で暗号化してもよい。
実施の形態２．
図７は本発明の実施の形態２に係る鍵システム２００の構成を示すブロック図である。上述の実施の形態１に係る鍵システム１００では、鍵装置１で携帯電話機１１のロック及びロックの解除を行っていたが、本実施の形態２に係る鍵システム２００では、携帯電話機とは異なる情報機器、具体的にはＰＣのロックあるいはロックの解除を鍵装置１で行っている。
図７に示されるように、本鍵システム２００は、上述の鍵装置１とＰＣ２１とを備えており、鍵装置１とＰＣ２１とはデータ通信を行う。そして、本鍵システム２００では、鍵装置１によってＰＣ２１をロックすること、あるいはＰＣ２１のロックを解除することができる。
ＰＣ２１は、制御部２２と、記憶部２３と、ＬＥＤ２４と、読取装置２５と、表示部２６と、電源部２７と、操作部２８とを備えている。制御部２２は、他のブロックとのインターフェイス回路やＣＰＵ等を備えており、他のブロックの動作制御や、ＰＣ２１全体の動作管理などを行う。記憶部２３はＲＯＭ、ＲＡＭ及びハードディスクを備えており、制御部２２内のＣＰＵの実行プログラムや、鍵情報として用いられる、製品番号などのＰＣ２１固有のＩＤ番号や、各種アプリケーションプログラムなどを記憶している。
ＬＥＤ２４は、実施の形態１に係る携帯電話機１１のＬＥＤ１４と同様に、鍵装置１からのシリアルデータの受信、及び鍵装置１へのシリアルデータの送信を行うことが可能であり、制御部２２内のＣＰＵと直接接続されている。またＬＥＤ２４は、ＰＣ２１に電源が供給されているか否かをユーザーに知らせる機能を備えており、ＰＣ２１に電源が供給されている際に制御部２２内のＣＰＵによって制御されて発光する。
読取装置２５は、ＰＣ２１の外部から挿入される光ディスク等の記憶媒体からデータを読み出す装置であって、読取装置２５から読み出されたデータは制御部２２に入力される。操作部２８はキーボード、マウス及び電源のＯＮ／ＯＦＦスイッチを備えており、ＰＣ２１の外部からの入力を受け付ける。表示部２６は、例えば液晶表示装置（ＬＣＤ）であって、操作部２８から入力された文字情報の表示や、読取装置２５によって記憶媒体から読み取られた画像情報などの各種情報の表示を行う。電源部２７は、ＰＣ２１の外部から入力された交流電圧を直流電圧に変換し、当該直流電圧を制御部２２や記憶部２３等に供給する。
本ＰＣ２１においては、ユーザーによって操作部２８が操作されると、その操作情報が制御部２２に通知され、制御部２２は受け取った操作情報に基づいて表示部２６や読取装置２５などの他のブロックの動作制御を行う。これによりＰＣ２１では、入力された文字情報が表示されたり、所定のアプリケーションが実行されるなど、操作部２８での操作内容に応じた機能が実行される。
なおＰＣ２１は、一般的なＰＣが有する回路、例えばＬＡＮインターフェイス回路やモデム等（図示せず）も備えており、マイクやヘッドフォンと接続可能である。
本実施の形態２に係るＰＣ２１では、一般的なＰＣと同様に、「キーボードロック」と呼ばれるロック機能が実装されており、鍵装置１を使用する以外にも、操作部２８を操作することによってロック及びロックの解除を行うことができる。
例えば、操作部２８に対して所定の操作が行われると、その情報が制御部２２に通知され、制御部２２は、その後、操作部２８が操作された場合であっても、ロックを解除するための操作や、電源をＯＮ／ＯＦＦするための操作などの一定の操作以外の受け付けを拒否し、これらの受け付け拒否対象である操作に対応する機能の実行を禁止する。これにより、ＰＣ２１がロックされる。
ＰＣ２１では、操作部２８が操作されてロック解除用の暗証番号が入力されると、その情報が制御部２２に通知され、制御部２２は受け付け拒否していた操作を受け付け可能とする。これにより、ＰＣ２１のロックが解除される。なお、制御部２２はＰＣ２１が現在ロックされているか否かの情報を記憶部２３に書き込み、ロック状況が変更するたびにその情報を更新する。
また、本実施の形態２に係るＰＣ２１においては、鍵装置１と同様に、制御部２２内のＣＰＵの入出力ポートにＬＥＤ２４のアノードが接続されており、ＬＥＤ２４のカソードは抵抗（図示せず）を介して接地されている。そして、当該入出力ポートを入力ポートに設定してＬＥＤ２４を発光させることにより、ＬＥＤ２４から所定の転送レートのシリアルデータが送信される。
また、ＰＣ２１におけるＬＥＤ２４のデータ受信動作も鍵装置１のＬＥＤ４と同様であって、制御部２２内のＣＰＵの入出力ポートの信号レベルを複数回確認し、Ｈｉｇｈレベルである回数を計測することによって、ＬＥＤ４の発光時間を確認することができ、その結果、ＬＥＤの発光時間の相違によって表現されたデータ“１”，“０”を制御部２２内のＣＰＵは判別することができる。これを繰り返して実行することにより、ＰＣ２１は鍵装置１からのデータを連続的に受信することができる。
本実施の形態２に係る鍵システム２００では、上述の実施の形態１に係る鍵システム１００と同様に、ＬＥＤによるデータ通信によって、鍵装置１でＰＣ２１のロックあるいはロックの解除を行うことができる。以下に、鍵装置１を使用してＰＣ２１をロックする際、あるいはＰＣ２１のロックを解除する際の本鍵システム２００の動作について説明する。なお、鍵装置１の動作は実施の形態１と同様であるため、以下ではＰＣ２１の動作を中心にして説明する。
まず、ＰＣ２１における制御部２２内のＣＰＵはＬＥＤデータ受信動作を行う。ＰＣ２１のＬＥＤ２４が通信状態確認信号及び鍵情報要求信号のどちらも受信しない場合には、制御部２２内のＣＰＵは一定時間ＬＥＤデータ受信動作を休止し、一定時間経過後、再度ＬＥＤデータ受信動作を行ってＬＥＤ２４か通信状態確認信号あるいは鍵情報要求信号を受信するか否かを確認する。なお、制御部２２内のＣＰＵがＬＥＤデータ受信動作を休止している間は、ＬＥＤ２４はＰＣ２１に電源が供給されている旨を示すＬＥＤとして機能する。つまり、この間、制御部２２内のＣＰＵはＬＥＤ２４を常時発光させる。
ＬＥＤ２４が鍵装置１から鍵情報要求信号を受信すると、制御部２２は記憶部２３内の鍵情報を読み出してＬＥＤ２４に送信させる。そして、制御部２２内のＣＰＵは、一定時間ＬＥＤデータ受信動作を休止し、一定時間経過後、再度ＬＥＤデータ受信動作を行ってＬＥＤ２４が通信状態確認信号あるいは鍵情報要求信号を受信するか否かを確認する。
ＬＥＤ２４が通信状態確認信号を鍵装置１から受信すると、制御部２２は鍵情報送信要求信号を出力する。その後、ＬＥＤ２４が鍵装置１から鍵情報を受信すると、制御部２２はその鍵情報の認証を行う。具体的には、制御部２２は記憶部２３内の鍵情報と、鍵装置１から受信した鍵情報とが一致するか否かを判定し、一致する場合には認証に成功したものとし、一致しない場合には認証に失敗したものとする。そして、制御部２２は受信した鍵情報の認証に失敗するとエラー表示を表示部２６に行わせる。
一方、認証に成功すると、制御部２２はＰＣ２１が現在ロックしているか否かを確認する。上述のように記憶部２３にはＰＣ２１がロックしているか否かの情報が記憶されているため、制御部２２はこの情報を参照することによって、現在のＰＣ２１のロック状況を確認することができる。そして、ＰＣ２１が、操作部２８での所定の操作や、鍵装置１によってロックしている場合には、制御部２２は受け付け拒否している操作部２８での操作を受け付けるようにし、ロックの解除を行う。一方、ＰＣ２１のロックが解除されている場合には、制御部２２は、ロックを解除するための操作などの一定の操作以外の受け付けを拒否し、ＰＣ２１のロックを行う。
以上のようにして、制御部２２が鍵装置１から受信した鍵情報に基づいてＰＣ２１のロックあるいはロックの解除を行うと、制御部２２内のＣＰＵはＬＥＤデータ受信動作を一定時間休止する。そして、一定時間経過後、再度ＬＥＤデータ受信動作を行ってＬＥＤ２４が通信状態確認信号あるいは鍵情報要求信号を受信するか否かを確認する。
このように、本実施の形態２に係る鍵システム２００では、ユーザーが、ＰＣ２１と通信可能な範囲内にまで鍵装置１を近づけることによって、ＬＥＤによるデータ通信が開始し、このＬＥＤによるデータ通信を利用してＰＣ２１のロックや、ロックの解除が行われる。
ここで、ＬＥＤによるデータの送受信は、本実施の形態２のようにＣＰＵがＬＥＤの動作制御を直接行うことによって実現可能であり、更に一般的なＰＣには本ＰＣ２１と同様に電源供給時に発光するＬＥＤが装備されているため、ＬＥＤによるデータ通信を実現するためにＰＣ２１側には特別な装置を必要としない。また、一般的にＬＥＤはメモリカード等の外部記録媒体よりも安価である。そのため、本鍵システム２００のようにＬＥＤによるデータ通信を利用してＰＣ２１のロックあるいはロックの解除を行うことによって、安価な構成でＰＣ２１に対するセキュリティを向上することができる。
なお、本実施の形態２に係るＰＣ２１では、電源供給の有無を示すＬＥＤを利用して鍵装置１とデータ通信を行っていたが、一般的なＰＣが有する他のＬＥＤ、例えば、記憶部２３内のハードディスクにアクセスされた際に点灯するＬＥＤを利用して鍵装置１とデータ通信を行ってもよい。
また、上述の携帯電話機１１やＰＣ２１と同様に、ＬＥＤと、当該ＬＥＤの動作制御を行う制御部とを備える、ＰＤＡ（Ｐｅｒｓｏｎａｌ  Ｄｉｇｉｔａｌ  Ａｓｓｉｓｔａｎｃｅ）などの他の情報機器においても、実施の形態１，２に係る発明を利用すれば、鍵装置１によりロック及びロックの解除を行えることは言うまでもない。
また、鍵装置１が有する機能を携帯電話機やＰＤＡなどの携帯情報機器に内蔵しても良い。図８は、本鍵システム２００において、鍵装置１が有する機能を実施の形態１に係る携帯電話機１１に内蔵した際のシステム構成を示すブロック図であって、図８における破線６０で囲まれたブロックに鍵装置１が有する機能が実装されている。すなわち、制御部１２、記憶部１３及びＬＥＤ１４は、それぞれ鍵装置１のＣＰＵ２、記憶部３及びＬＥＤ４と同様の動作を行い、鍵装置１としても動作する。以下に、図８に示されるシステムにおいて、鍵装置１が内蔵された携帯電話機１１を用いてＰＣ２１のロックあるいはロックの解除を行う場合の当該携帯電話機１１の動作について説明する。
制御部１２内のＣＰＵは、記憶部１３内に鍵情報が記憶されているか否かを確認し（以後、「鍵情報確認動作」と呼ぶ）、記憶部１３内に鍵情報が記憶されていないと判断すると、ＬＥＤ１４に鍵情報要求信号を送信させる。そして、ＬＥＤ１４がＰＣ２１から鍵情報を受信すると、制御部１２内のＣＰＵは受け取った鍵情報を記憶部１３に記憶し、携帯電話機１１は一定時間、鍵装置１としての動作を休止する。そして、一定時間経過後、制御部１２内のＣＰＵは再度鍵情報確認動作を行う。なお、携帯電話機１１は、鍵装置１としての動作を休止している間に上述の図６に示される動作を行う。
一方、所定時間内にＬＥＤ１４がＰＣ２１から鍵情報を受信しなかった場合には、携帯電話機１１は、一定時間、鍵装置１としての動作を休止する。そして一定時間経過後、制御部１２内のＣＰＵは再度鍵情報確認動作を実行する。
制御部１２内のＣＰＵは記憶部１３内に鍵情報を確認すると、ＬＥＤ１４に通信状態確認信号を送信させる。そして、ＬＥＤ１４がＰＣ２１から鍵情報送信要求信号を受信すると、制御部１２内のＣＰＵは記憶部１３から鍵情報を読み出してＬＥＤ１４に当該鍵情報を送信させる。ＰＣ２１においては、携帯電話機１１から送信された鍵情報が受信され、当該鍵情報に基づいてロックあるいはロックの解除が行われる。
その後、携帯電話機１１は一定時間、鍵装置１としての動作を休止し、一定時間経過後、再度鍵情報確認動作を実行する。そして、以下同様の動作が行われる。
このように、鍵装置１が有する機能を携帯電話機やＰＤＡなどの携帯機器に内蔵させて、当該携帯機器でＰＣ等の情報機器のロックあるいはロックの解除を行うことによって、携帯機器とは別途に鍵装置を準備する必要がない。従って、ユーザーに安価で使い勝手の良い鍵システムを提供することができる。
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2005069590.tif 000003
【図２】
2005069590.tif 000004
【図３】
2005069590.tif 000005
【図４】
2005069590.tif 000006
【図５】
2005069590.tif 000007
【図６】
2005069590.tif 000008
【図７】
2005069590.tif 000009
【図８】
2005069590.tif 000010
【国際調査報告】
2005069590.tif 000011
2005069590.tif 000012